(57)【特許請求の範囲】
【請求項１】
上面が開口する箱状のキャップの前板に挿入孔を設けるとともに、キャップの後板における前記挿入孔と整合する位置に支持孔を設け、前記キャップの前板の挿入孔より挿入した水平の操作杆の先端に設けた係合突起を前記支持孔に嵌合係止し、かつキャップ内の中央部に、前記操作杆のキャップへの挿入方向と直交する垂直方向を向くとともに、弾性撓曲可能で、かつ後方へ行くほど、挿入孔と支持孔を結ぶ線の方向へ傾斜する傾斜面を有する係止片を設け、前記操作杆の側面に設けた係合部を、前記係止片の傾斜面を通過させて、その後縁に係止させるようにしたことを特徴とする操作杆へのキャップの取付け構造。
【請求項２】
操作杆の先端における係合突起をキャップの支持孔に嵌合し、かつ係合突起以外の操作杆の先端面を、キャップの後板の内面に当接させることにより、キャップに対する操作杆の後方への移動を阻止するようにした請求項１に記載の操作杆へのキャップの取付け構造。
【請求項３】
キャップの前板と後板の中央部に亘って、上面で操作杆を案内するようになっている前後方向の案内板を設けたことを特徴とする請求項１または２記載の操作杆へのキャップの取付け構造。
【発明の詳細な説明】
【０００１】
【発明の属する技術分野】
本発明は、家具や機械器具等に用いられている各種の操作杆の端部にキャップを、着脱容易に取り付ける装置に関する。
【０００２】
【従来の技術】
テーブルの天板や椅子の座面等の高さや傾斜角度の調節、あるいは、その他の装置における各種の調節等に使用される操作杆の先端には、操作杆が目立つように、また操作し易いように、例えば合成樹脂製のキャップが取り付けられる。
【０００３】
従来、このキャップは、操作杆にねじ止めするか、操作杆と一体的にモールド成形されていた。
【０００４】
【発明が解決しようとする課題】
上記前者の手段によると、キャップのねじ止めに手間がかかり、後者によると、金型内へ操作杆をセットするのに時間がかかる。そのため、両者とも生産コストが高くなり、また不用となって廃棄する際、材質別に分別することが、面倒もしくは困難であった。
【０００５】
本発明は、キャップの成形や操作杆への取り付けが簡単であり、しかも廃棄する際の両者の分別を容易とした操作杆へのキャップ取付け構造を提供することを目的としている。
【０００６】
【課題を解決するための手段】
本発明は、次のようにして上記課題を解決した。
(１) 上面が開口する箱状のキャップの前板に挿入孔を設けるとともに、キャップの後板における前記挿入孔と整合する位置に支持孔を設け、前記キャップの前板の挿入孔より挿入した水平の操作杆の先端に設けた係合突起を前記支持孔に嵌合係止し、かつキャップ内の中央部に、前記操作杆のキャップへの挿入方向と直交する垂直方向を向くとともに、弾性撓曲可能で、かつ後方へ行くほど、挿入孔と支持孔を結ぶ線の方向へ傾斜する傾斜面を有する係止片を設け、前記操作杆の側面に設けた係合部を、前記係止片の傾斜面を通過させて、その後縁に係止させるようにする。
【０００７】
(２) 上記(１)項において、操作杆の先端における係合突起をキャップの支持孔に嵌合し、かつ係合突起以外の操作杆の先端面を、キャップの後板の内面に当接させることにより、キャップに対する操作杆の後方への移動を阻止する。
【０００８】
(３) 上記(１)または(２)項において、キャップの前板と後板の中央部に亘って、上面で操作杆を案内するようになっている前後方向の案内板を設ける。
【０００９】
【発明の実施の形態】
図１〜図７は、本発明の第１実施例を示すもので、図１〜図３において、ほぼ水平とした板状の操作杆(１)の先端上部には、係合突起(２)が突設され、また先端近くの両側面中央には、ピンを貫設して形成した突起(３)が設けられている。
【００１０】
合成樹脂製の上面開口するほぼ箱状のキャップ(４)の前板(4a)(図１〜図３の左方を前方とする)の上部には、図４に示すように、操作杆(１)を挿入する挿入孔(５)が設けられ、後板(4b)の上部には、図７に示すように、操作杆(１)の係合突起(２)を嵌合しうる支持孔(６)が貫設されている。
挿入孔(５)と支持孔(６)は、図１、図３に示すように、互いに整合する位置にある。
【００１１】
前板(4a)と後板(4b)の中央下部同士と底板(4c)の中央間には、補強を兼ねる垂直の案内板(７)が設けられ、その上端面は、キャップ(４)を操作杆(１)に取り付ける時に、操作杆(１)の下端面と当接する高さとなっている。
【００１２】
キャップ(４)の両側板(4d)(4d)と底板(4c)の中央同士間と前部同士との間には、案内板(７)と交差して、補強を兼ねる垂直の仕切板(８)が設けられ、仕切板(８)の中央上部には、縦長方形で下端が案内板(７)の上端と等高をなす案内溝(９)が形成されている。
【００１３】
両側板(4d)と底板(4c)の後部同士間において案内板(７)の両側方、すなわち、挿入孔(５)と支持孔(６)の中心を結ぶ線の両側方には、仕切板(８)と平行をなす左右１対の垂直の支持片(10)が設けられている。支持片(10)の内側端には、弾性撓曲可能な左右１対の垂直の係止片(11)が設けられ、両係止片(11)の前端同士の間隔は、操作杆(１)の左右両突起(３)(３)の先端同士の間隔より若干大きく、同じく後端同士の間隔は、操作杆(１)の厚さとほぼ等しくなるように、前後方向に対して、ハ字状に傾斜している。
【００１４】
すなわち、第１実施例においては、両係止片(11)の内側面が、キャップ(４)の挿入孔(５)へ操作杆(１)を挿入した時に、操作杆(１)の突起(３)の先端と摺接して、両係止片(11)を操作杆(１)から離れる方向に押す傾斜案内面をなし、また、両係止片(11)の後縁が、突起(３)に弾性係合して、操作杆(１)をキャップ(４)から抜け止めする係止部をなしている。
【００１５】
次に、操作杆(１)にキャップ(４)を装着する要領について説明する。
操作杆(１)の先端に、キャップ(４)の挿入孔(５)を挿入すると、操作杆(１)は、案内板(７)と案内溝(９)に案内されて相対的に直進し、両係止片(11)の前端と操作杆(１)の先端が通過した後、両係止片(11)の中央部が両突起(３)の先端に圧接して、両係止片(11)は次第に外側方へ押し広げられ、両突起(３)が両係止片(11)の間を通過するのと同時に、両係止片(11)は弾性復元して、その後端が両突起(３)に係合し、キャップ(４)は操作杆(１)に対して抜け止めされる。
また、それとほぼ同時にキャップ(４)の支持孔(６)に操作杆(１)の先端の係合突起(２)が嵌合して、キャップ(４)は操作杆(１)に対して上下左右前後に移動不能に固定される。
【００１６】
なお上述の実施例においては、操作杆(１)とキャップ(４)の両側に、それぞれ突起(３)と係止片(11)を設けてあるが、いずれか一方の突起(３)と係止片(11)を省略することもできる。
【００１７】
操作杆(１)に取り付けたキャップ(４)は、その開口面より、指先あるいは先尖状の工具等を差し入れて、突起(３)と係止片(11)との係合を解除すれば、簡単に引き抜くことができる。
【００１８】
図８〜図１３は、本発明の第２実施例を示すもので、操作杆(12)には、係合突起(13)と、上記突起(３)に代わる円形の係合孔(係止部)(14)が、それぞれ同個所に設けられている。
【００１９】
キャップ(15)の前板(15a)には、図11に示すように、縦長方形の挿入孔(16)が第１実施例と同一個所に設けられ、後板(15b)には、図８に示すように、上記(６)と同様の支持孔(17)が設けられている。
【００２０】
キャップ(15)内には、上記(７)と同様の案内板(18)と、上記(８)と同様の仕切板(19)が同個所に設けられ、仕切板(19)には、挿入孔(16)と同形等寸の案内溝(20)が同個所に形成されている。
【００２１】
キャップ(15)内の後部における案内板(18)の一側方には、仕切板(19)と平行をなす１枚の垂直の支持片(21)が突設され、その内側端には、弾性撓曲可能な係止片(22)が連設されている。
【００２２】
係止片(22)の内側面上部には、係合孔(14)に嵌合しうる大きさの横向き円板形をなし、かつ図８に示すように、外面に、後端が案内板(18)の両側面の中央線の上方に位置し、前端がそれより操作杆(12)の厚さ分だけ、案内板(18)の側方に位置するように傾斜する傾斜面(23)を有する突起(23)が形成されている。
【００２３】
上述の装置において、前実施例と同様に、操作杆(12)へのキャップ(15)の外嵌を開始すると、突起(23)の傾斜案内面(23a)の前端が操作杆(12)の先端に当接して、係止片(22)は若干外側方に弾性撓曲し、ついで突起(23)が係合孔(14)に嵌合して、キャップ(15)は操作杆(12)から抜け止めされる。
【００２４】
またそれとほぼ同時に、キャップ(15)の支持孔(17)が操作杆(12)の係合突起(13)に係合して、キャップ(15)は上下左右前後に移動不能に固定される。
【００２５】
なお第２実施例においては、キャップ(15)の一側に、係止片(22)を設けたが、両側に係止片(22)を設けることもある。
【００２６】
操作杆(12)に取り付けたキャップ(15)は、その開口面より、指先あるいは先尖状の工具等を差し入れて、係合孔(14)と突起(23)との係合を解除すれば、簡単に取り外すことができる。
【００２７】
【発明の効果】
本発明は次のような効果を奏する。
(ａ)請求項１記載の発明によると、操作杆へのキャップの着脱が容易であり、しかも一旦装着されると、キャップは妄りに操作杆から脱落することはない。従って、不用になった操作杆を廃棄する際、材質別に上記両者を容易に分別することができる。
またキャップを安価に製作することができる。
【００２８】
(ｂ)請求項２記載の発明によると、操作杆の先端部にキャップを嵌合させる際に、係止片を手の指等により押し広げておく必要がなく、装着作業を楽に行なうことができる。すなわち、キャップを操作杆にワンタッチで装着することができる。
【００２９】
(ｃ)請求項３記載の発明によると、操作杆は好適に案内される。
【図面の簡単な説明】
【図１】  本発明の第１実施例における操作杆からキャップを取り外したときの平面図である。
【図２】  図１のＡ−Ａ線断面図である。
【図３】  第１実施例における取り付け状態の平面図である。
【図４】  図２のＢ−Ｂ線矢視図である。
【図５】  図２のＣ−Ｃ線断面図である。
【図６】  図２のＤ−Ｄ線断面図である。
【図７】  図２のＥ−Ｅ線断面図である。
【図８】  本発明の第２実施例における操作杆からキャップを取り外したときの平面図である。
【図９】  図８のＦ−Ｆ線断面図である。
【図１０】  第２実施例における取り付け状態の平面図である。
【図１１】  図９のＧ−Ｇ線矢視図である。
【図１２】  図９のＨ−Ｈ線断面図である。
【図１３】  図９のＩ−Ｉ線断面図である。
【符号の説明】
(１)(12)操作杆
(２)(13)係合突起
(３)突起
(４)(15)キャップ
(4a)(15a)前板
(4b)(15b)後板
(4c)(15c)底板
(4d)(15d)側板
(５)(16)挿入孔
(６)(17)支持孔
(７)(18)案内板
(８)(19)仕切板
(９)(20)案内溝
(10)(21)支持片
(11)(22)係止片
(14)係合孔(係合部)
(23)突起
(23a)傾斜案内面
【図１】
0003673979.tif 000002
【図２】
0003673979.tif 000003
【図３】
0003673979.tif 000004
【図４】
0003673979.tif 000005
【図５】
0003673979.tif 000006
【図６】
0003673979.tif 000007
【図７】
0003673979.tif 000008
【図８】
0003673979.tif 000009
【図９】
0003673979.tif 000010
【図１０】
0003673979.tif 000011
【図１１】
0003673979.tif 000012
【図１２】
0003673979.tif 000013
【図１３】
0003673979.tif 000014